(57)【要約】【課題】遊技者が遊技機で獲得した遊技媒体の計数結果を当日中の再遊技に無制限で使用可能な持玉として管理する。【解決手段】実施形態の遊技媒体管理装置は、遊技者が遊技機で獲得した遊技媒体の計数結果を記憶媒体と対応付けて管理する。前記記憶媒体は、会員用の前記記憶媒体である会員記憶媒体と、前記会員記憶媒体以外の前記記憶媒体である一般記憶媒体と、を含む。遊技媒体管理装置は、新たに発行するための前記一般記憶媒体を収納する収納部と、前記記憶媒体の出し入れをするための挿入部と、前記遊技媒体の計数結果を取得する取得部と、設定によって、前記取得部によって取得された前記計数結果を、当日中の再遊技に無制限で使用可能な持遊技媒体として、前記収納部に収納された前記一般記憶媒体、前記挿入部から挿入された前記会員記憶媒体、前記挿入部から挿入された前記一般記憶媒体、のいずれかに対応付けて管理する管理部と、を備える。【選択図】図４
2020137539.tif 000002
【特許請求の範囲】
【請求項１】
遊技者が遊技機で獲得した遊技媒体の計数結果を記憶媒体と対応付けて管理する遊技媒体管理装置であって、
前記記憶媒体は、会員用の前記記憶媒体である会員記憶媒体と、前記会員記憶媒体以外の前記記憶媒体である一般記憶媒体と、を含み、
新たに発行するための前記一般記憶媒体を収納する収納部と、
前記記憶媒体の出し入れをするための挿入部と、
前記遊技媒体の計数結果を取得する取得部と、
設定によって、前記取得部によって取得された前記計数結果を、当日中の再遊技に無制限で使用可能な持遊技媒体として、前記収納部に収納された前記一般記憶媒体、前記挿入部から挿入された前記会員記憶媒体、前記挿入部から挿入された前記一般記憶媒体、のいずれかに対応付けて管理する管理部と、を備える遊技媒体管理装置。
【請求項２】
前記遊技媒体管理装置と接続された外部装置と通信する通信部を、さらに備え、
前記通信部は、前記外部装置と、前記遊技媒体の数の加算および減算の少なくともいずれかを含む内容の通信を行い、
前記管理部は、前記通信の内容に応じて、処理対象の前記記憶媒体に対応付けて管理されている持遊技媒体の数に対して、加算処理および減算処理の少なくともいずれかを行う、請求項１に記載の遊技媒体管理装置。
【請求項３】
前記管理部は、複数の前記記憶媒体の持遊技媒体の数を合算し、その合算した前記持遊技媒体の数をそれらの前記記憶媒体のうちのいずれかの前記記憶媒体に対応付けて管理し、残りの前記記憶媒体の前記持遊技媒体の数をクリアする、請求項１に記載の遊技媒体管理装置。
【請求項４】
前記遊技媒体管理装置は、レシート発行機と接続されており、
前記管理部は、前記記憶媒体に関する処理中にエラーが起きた場合、エラーレシートを発行させるためのエラー信号を前記レシート発行機に送信する、請求項１に記載の遊技媒体管理装置。
【発明の詳細な説明】
【技術分野】
【０００１】
本発明の実施形態は、遊技媒体管理装置に関する。
【背景技術】
【０００２】
従来、パチンコ店等の遊技店において、遊技者は、獲得した遊技媒体（玉、メダル）を、例えば、複数の遊技機等から構成される島ごとに配置された島端計数装置等の計数装置によって計数させる。そして、計数装置（または計数装置と接続された別の装置。以下同様）は、例えば、計数結果をレシートに書き込んで発行する。その場合、遊技者は、そのレシートを景品交換所で提示することで、計数結果に応じた景品を受け取ることができる。
【０００３】
また、計数結果をＩＣ（Integrated  Circuit）カード等のカードに書き込んで発行（または更新。以下同様）する計数装置もある。その場合、遊技者は、そのカードを景品交換所で提示することで計数結果に応じた景品を受け取ることができるとともに、そのカードを用いて所定の再遊技操作を行うことによって遊技媒体の供給を受けて再遊技を行うこともできる。
【先行技術文献】
【特許文献】
【０００４】
【特許文献１】特開２０１７−２９２０１号公報
【発明の概要】
【発明が解決しようとする課題】
【０００５】
しかしながら、従来技術では、レシートを発行する場合、遊技者はそのレシートを用いて再遊技することはできない。また、カードを発行する場合、カードの種類によって、計数結果は、当日中の再遊技に使用可能な持玉としてではなく、当日以降の再遊技時に使用可能な貯玉として扱われるため、貯玉に使用数制限がある場合は、遊技者はその使用数制限の範囲内でしか再遊技できない。
【０００６】
そこで、本発明の実施形態は、遊技者が遊技機で獲得した遊技媒体の計数結果を当日中の再遊技に使用可能な持玉として管理することができる遊技媒体管理装置を提供することである。
【課題を解決するための手段】
【０００７】
実施形態の遊技媒体管理装置は、遊技者が遊技機で獲得した遊技媒体の計数結果を記憶媒体と対応付けて管理する。前記記憶媒体は、会員用の前記記憶媒体である会員記憶媒体と、前記会員記憶媒体以外の前記記憶媒体である一般記憶媒体と、を含む。遊技媒体管理装置は、新たに発行するための前記一般記憶媒体を収納する収納部と、前記記憶媒体の出し入れをするための挿入部と、前記遊技媒体の計数結果を取得する取得部と、設定によって、前記取得部によって取得された前記計数結果を、当日中の再遊技に無制限で使用可能な持遊技媒体として、前記収納部に収納された前記一般記憶媒体、前記挿入部から挿入された前記会員記憶媒体、前記挿入部から挿入された前記一般記憶媒体、のいずれかに対応付けて管理する管理部と、を備える。
【図面の簡単な説明】
【０００８】
【図１】図１は、実施形態の遊技場管理システムの全体構成図である。
【図２】図２は、実施形態の持玉カード発行機の外観図である。
【図３】図３は、実施形態の持玉カード発行機とレシート発行機とメダル計数機の設置例を示す模式図である。
【図４】図４は、実施形態の持玉カード発行機のブロック構成図である。
【図５】図５は、実施形態における操作者と各装置の動作の流れを示すシーケンスチャートである。
【図６】図６は、実施形態の持玉カード発行機の全体処理を示すフローチャートである。
【図７】図７は、図６における内部モード監視処理を示すフローチャートである。
【図８】図８は、図７におけるカード発行処理を示すフローチャートである。
【図９】図９は、図７におけるカード合算処理を示すフローチャートである。
【発明を実施するための形態】
【０００９】
以下、添付の図面を用いて、実施形態の遊技場管理システムについて説明する。以下では、遊技場として、パチンコ店等の遊技店を例にとって説明する。なお、本実施形態において、持玉（持遊技媒体）とは、遊技者が遊技機で獲得した遊技媒体、または、当該遊技媒体の数を示すデータであって、当日中の再遊技に無制限（使用制限数が大きな値で実質的に無制限と同等の場合も含む。）で使用可能なものを指す。また、貯玉とは、遊技者が遊技機で獲得した遊技媒体、または、当該遊技媒体の数を示すデータであって、当日以降の再遊技に使用可能なものを指す。貯玉には、使用制限数が設定されている場合がある。
【００１０】
図１は、実施形態の遊技場管理システムＳの全体構成図である。図２は、実施形態の持玉カード発行機１（遊技媒体管理装置）の外観図である。図３は、実施形態の持玉カード発行機１とレシート発行機２１とメダル計数機２２の設置例を示す模式図である。
【００１１】
図１に示すように、遊技場管理システムＳは、持玉カード発行機１と、外部機器２と、ＰＯＳ（Point  of  Sale）用ＩＣカードリーダライタ３と、ＰＯＳ装置４と、ＩＣカード精算販売機５と、島コントローラ６と、メダル貸機７と、ＣＲユニット８と、ハブＨと、データ管理装置９と、を備えて構成される。各装置は、図１に示すように、Ethernet（登録商標）等のネットワークＮで通信可能に接続される。また、本実施形態では、外部機器２の例として、レシート発行機２１とメダル計数機２２を組み合わせて用いる。
【００１２】
持玉カード発行機１は、外部機器２からメダルの計数結果を受信して、次の３つのうちのいずれかの処理を行う。なお、以下では、会員用のＩＣカードを「会員カード」（会員記憶媒体）と呼び、会員カード以外のＩＣカードを「一般カード」（一般記憶媒体）と呼ぶ。また、会員カードと一般カードを総称する場合、単に「カード」と呼ぶ。
（処理１）新たな一般カードに計数結果を書き込んで発行する。
（処理２）挿入された会員カードと対応付けてデータ管理装置９に計数結果を送信する。
（処理３）挿入された一般カードに計数結果を書き込む。
なお、処理１、処理３の場合も、併せて、データ管理装置９に書き込みに関する通知を行う。持玉カード発行機１の詳細については後述する。
【００１３】
レシート発行機２１は、メダル計数機２２でのメダルの計数結果を受信して、その計数結果を書き込んだレシートを発行する。遊技者は、そのレシートを景品交換所（不図示）で提示することで、計数結果に応じた景品を受け取ることができる。
【００１４】
メダル計数機２２は、投入された遊技媒体を計数し、計数結果をレシート発行機２１に送信する。持玉カード発行機１は、その計数結果を、レシート発行機２１から受信することができる。
【００１５】
ＰＯＳ用ＩＣカードリーダライタ３は、ＰＯＳ用ＩＣカードのデータを読み取り、読み取ったデータをＰＯＳ装置４に送信する。
【００１６】
ＰＯＳ装置４は、パチンコ店における景品等を管理するためのコンピュータ装置であり、ＰＯＳ用ＩＣカードリーダライタ３に接続されている。
【００１７】
ＩＣカード精算販売機５は、一般カードを販売する機能と、一般カードを精算して貨幣を払い出す機能を有する。
【００１８】
島コントローラ６は、島に設けられた一群の遊技機等をまとめて管理する装置である。
【００１９】
メダル貸機７は、現金、一般カード、会員カードを用いて、遊技者による貸出し操作に基いてメダルを貸し出す機能を有する装置である。
【００２０】
ＣＲユニット８は、一般カード、会員カードの挿入を受け付け、所定操作があると持玉、貯玉、プリペイド価値に応じて遊技媒体を貸し出す等の機能を有する。
【００２１】
データ管理装置９は、一般カードと会員カードの持玉の情報等を管理するコンピュータ装置である。
【００２２】
そして、遊技者は、遊技機で遊技し、獲得した遊技媒体を、島ごと等に配置されたメダル計数機２２を用いて計数させる。そして、持玉カード発行機１は、メダル計数機２２による計数結果を、レシート発行機２１を経由して受信し、上述の（処理１）〜（処理３）のいずれかの処理を行う。これにより、遊技者は、その処理を経た会員カードまたは一般カードを用いて、無制限に再遊技を行うことができる。以下、詳細に説明する。
【００２３】
図４は、実施形態の持玉カード発行機１のブロック構成図である。持玉カード発行機１は、遊技者が遊技機で獲得した遊技媒体の計数結果を一般カードまたは会員カードと対応付けて管理する。
【００２４】
持玉カード発行機１は、上述の（処理１）〜（処理３）を行うために、処理部１１と、記憶部１２と、挿入部１３と、カードシャッタ１４と、カード収納部１５（収納部）と、リーダライタ１６と、ＬＥＤ１７と、を備える。なお、持玉カード発行機１は、通信インタフェースや入出力インタフェース等の他の構成も有しているが、図示や説明を省略する。
【００２５】
処理部１１は、持玉カード発行機１の全体を制御する。処理部１１は、取得部１１１と、管理部１１２と、通信部１１３と、を備える。具体的には、これらの機能部に対応するプログラムを、図示しないＲＯＭ（Read  Only  Memory）や不揮発性メモリに記憶しておいて、ＣＰＵ（Central  Processing  Unit）によってロードして実行することにより、これらの機能部が実現される。
【００２６】
取得部１１１は、外部装置（外部機器２、データ管理装置９等）から各種情報を取得する。例えば、取得部１１１は、外部機器２から遊技媒体の計数結果を取得する。
【００２７】
管理部１１２は、取得部１１１によって取得された計数結果を、持玉として、カード収納部１５に収納された一般カード、挿入部１３から挿入された会員カード、挿入部１３から挿入された一般カードのいずれかに対応付けて管理する。
【００２８】
また、管理部１１２は、通信部１１３による外部装置（例えば飲料の自動販売機）との通信の内容に応じて、処理対象のカードに対応付けて管理されている持玉の数に対して、加算処理および減算処理のいずれかを行う。
【００２９】
また、管理部１１２は、複数のカードの持玉の数を合算し、その合算した持玉の数をそれらのカードのうちのいずれかに対応付けて管理し、残りのカードの持玉の数をクリアする。
【００３０】
また、管理部１１２は、カードに関する処理中にエラーが起きた場合、エラーレシートを発行させるためのエラー信号を、通信部１１３を用いてレシート発行機２１に送信する。
【００３１】
通信部１１３は、持玉カード発行機１と接続された外部装置と通信する。通信部１１３は、例えば、外部装置と、持玉の数の加算および減算の少なくともいずれかを含む内容の通信を行う。
【００３２】
記憶部１２は、ハードディスク装置や不揮発性メモリ等から構成される記憶手段であり、カード処理に関する各種情報を記憶する。
【００３３】
挿入部１３は、カードの出し入れ（挿入と排出）をするためのカード挿入口である。
【００３４】
カードシャッタ１４は、挿入部１３からカードが挿入されているときに、他のカードが入らないようにするための閉鎖機構である。
【００３５】
カード収納部１５は、新たに発行するための一般カード（以下、「ストックカード」とも呼ぶ。）を収納する。例えば、カード収納部１５は、ストックカードを１００枚ストック可能な構造となっている。
【００３６】
リーダライタ１６は、挿入部１３から挿入されたカードや、ストックカードに対して、リード動作、ライト動作を行う。
【００３７】
ＬＥＤ１７は、管理部１１２からの指示により、持玉カード発行機１の状態（カード挿入の有無やエラー等）に応じて、各色の点灯表示、点滅表示を行う。
【００３８】
図５は、実施形態における操作者（遊技者、または遊技場従業員等）と各装置の動作の流れを示すシーケンスチャートである。ステップＳ１０１において、操作者は計数操作（メダル計数機２２に対するメダルの投入および所定操作）を行う。
【００３９】
次に、ステップＳ１０２において、外部機器２（メダル計数機２２）は、計数処理を行う。次に、ステップＳ１０３において、外部機器２（レシート発行機２１）は、持玉カード発行機１に対して、カード挿入許可通知を行う。
【００４０】
次に、ステップＳ１０４において、持玉カード発行機１とデータ管理装置９は、カード取込処理を行う。なお、ステップＳ１０４１〜Ｓ１０４５のうち、ステップＳ１０４３以降は、カードの挿入があった場合にのみ行う。ステップＳ１０４１において、持玉カード発行機１は、カード挿入の監視を開始する。次に、ステップＳ１０４２において、持玉カード発行機１は、外部機器２に対して、カード挿入可通知を行う。
【００４１】
ステップＳ１０５で操作者による持玉カード発行機１へのカード挿入があると、ステップＳ１０４３において、持玉カード発行機１は、カード読取り処理を行い、カードから読み取ったデータ（持玉数データ、カードデータ）をデータ管理装置９に送信する。
【００４２】
ステップＳ１０４４において、データ管理装置９は、持玉カード発行機１に対してカード整合性応答を行う。なお、カード整合性応答とは、カードが正当なカードであるか否かの判定結果を含む応答を指す（以下同様）。なお、正当でないカードとは、例えば、他店舗のカードや偽造カードである。
【００４３】
次に、ステップＳ１０４５において、持玉カード発行機１は、外部機器２にカード挿入を通知する。また、ステップＳ１０６において、外部機器２は、計数終了を操作者に表示や音によって報知する。
【００４４】
ステップＳ１０７において、操作者は、外部機器２に対してカード発行操作を行う。ステップＳ１０８において、外部機器２は、持玉カード発行機１に対してカード発行指示を行う。これに応じて、ステップＳ１０９において、持玉カード発行機１は、外部機器２にカード発行中を通知する。
【００４５】
次に、ステップＳ１１０において、持玉カード発行機１とデータ管理装置９は、ストックカード取込処理を行う。なお、ステップＳ１１０では、操作者によって持玉として処理するための操作があったが、カードの挿入がなかった場合に新たな一般カードの発行を行う。ステップＳ１１０１において、持玉カード発行機１は、カード収納部１５からストックカードを取り込む。次に、ステップＳ１１０２において、持玉カード発行機１は、ストックカード読込処理を行い、カードから読み込んだデータ（例えばＩＤ（Identifier）データ等）をデータ管理装置９に送信する。
【００４６】
ステップＳ１１０３において、データ管理装置９は、持玉カード発行機１に対してカード整合性応答を行う。次に、ステップＳ１１０４において、持玉カード発行機１は、外部機器２にストックカード挿入を通知する。
【００４７】
次に、持玉カード発行機１とデータ管理装置９は、ステップＳ１１１の処理を行う。ステップＳ１１１１において、持玉カード発行機１は、データ管理装置９に対してカードＵＰＤＡＴＥ通知を行う。これに対して、ステップＳ１１１２において、データ管理装置９は、持玉カード発行機１に対してＵＰＤＡＴＥ整合性応答を行う。なお、ＵＰＤＡＴＥ整合性応答とは、カードのＵＰＤＡＴＥ（更新内容）が正当であるか否かの判定結果を含む応答を指す。
【００４８】
ステップＳ１１２において、持玉カード発行機１は、一般カードの場合のみ、カード書き込みを行う。つまり、会員カードの場合は、データ管理装置９へのデータ更新のみを行い、カード書き込みは行わない。
【００４９】
ステップＳ１１３において、持玉カード発行機１は、外部機器２に対して発行終了通知を行う。これに対して、ステップＳ１１４において、外部機器２は、持玉カード発行機１に対してカード排出指示を行う。
【００５０】
次に、ステップＳ１１５において、持玉カード発行機１とデータ管理装置９は、カード排出処理を行う。ステップＳ１１５１において、持玉カード発行機１は、データ管理装置９と操作者に対してカード排出通知を行う。これに対して、ステップＳ１１５２において、データ管理装置９は、持玉カード発行機１に対してカード排出整合性応答を行う。なお、カード排出整合性応答とは、カード排出が正当であるか否かの判定結果を含む応答を指す。ステップＳ１１５３において、持玉カード発行機１は、カード排出処理を行う。つまり、挿入部１３からカードを排出する。
【００５１】
ステップＳ１１６において、持玉カード発行機１は、外部機器２に対してカード排出終了通知を行う。
【００５２】
ステップＳ１１７において、操作者は、挿入部１３から排出されたカードを抜き取る。このようにして、一連の処理により、持玉カード発行機１において計数結果をカードに対応付け、そのカードを排出し、操作者がそのカードを受け取ることができる。
【００５３】
図６は、実施形態の持玉カード発行機１の全体処理を示すフローチャートである。持玉カード発行機１は、ステップＳ１で電源がＯＮになると、ステップＳ２において、データ管理装置９と初期通信を行い、設定データを受信する等して、初期動作処理を行う。
【００５４】
以下、持玉カード発行機１は、ステップＳ３〜Ｓ９のメインＬＯＯＰ処理を行う。ステップＳ３において、持玉カード発行機１は、内部モード監視処理を行う。次に、ステップＳ４において、持玉カード発行機１は、サーバ通信処理（データ管理装置９との通信処理）を行う。
【００５５】
次に、ステップＳ５において、持玉カード発行機１は、カードＲＷ（リード／ライト）通信処理を行う。次に、ステップＳ６において、持玉カード発行機１は、外部機器通信処理（外部機器２との通信処理）を行う。
【００５６】
次に、ステップＳ７において、持玉カード発行機１は、ＬＥＤ制御処理（ＬＥＤ１７を制御する処理）を行う。次に、ステップＳ８において、持玉カード発行機１は、入出力制御処理を行う。次に、ステップＳ９において、持玉カード発行機１は、入力チャタリング処理を行う。
【００５７】
図７は、図６における内部モード監視処理（ステップＳ３）を示すフローチャートである。ステップＳ２０１において、持玉カード発行機１の処理部１１は、外部機器２からカード発行命令（指示）を受信したか否かを判定し、Ｙｅｓの場合はステップＳ２０６に進み、Ｎｏの場合はステップＳ２０２に進む。
【００５８】
図８は、図７におけるカード発行処理（ステップＳ２０６）を示すフローチャートである。ステップＳ３０１において、処理部１１は、開店中か否かを判定し、Ｙｅｓの場合はステップＳ３０２に進み、Ｎｏの場合はステップＳ３１７に進む。
【００５９】
ステップＳ３０２において、処理部１１は、エラーなしか否かを判定し、Ｙｅｓの場合はステップＳ３０３に進み、Ｎｏの場合はステップＳ３１７に進む。なお、ここでのエラーとは、例えば、リーダライタ１６が動作不能になっている場合や、データ管理装置９と通信不能になっている場合である。
【００６０】
ステップＳ３０３において、処理部１１は、一般カード発行命令か否かを判定し、Ｙｅｓの場合はステップＳ３０４に進み、Ｎｏの場合はステップＳ３０７に進む。
【００６１】
ステップＳ３０４において、処理部１１は、機器（持玉カード発行機１のカード収納部１５）内にカードがストックされているか否かを判定し、Ｙｅｓの場合はステップＳ３０５に進み、Ｎｏの場合はステップＳ３１７に進む。
【００６２】
ステップＳ３０５において、処理部１１は、ストックカード取込処理（図５のステップＳ１１０）を行う。次に、ステップＳ３０６において、処理部１１は、ストックカードの取り込みが正常に終了したか否かを判定し、Ｙｅｓの場合はステップＳ３１０に進み、Ｎｏの場合はステップＳ３１７に進む。
【００６３】
ステップＳ３０７において、処理部１１は、一般カード更新命令か否かを判定し、Ｙｅｓの場合はステップＳ３０８に進み、Ｎｏの場合はステップＳ３０９に進む。
【００６４】
ステップＳ３０８において、処理部１１は、機器（持玉カード発行機１）内に一般カードが挿入済みか否かを判定し、Ｙｅｓの場合はステップＳ３１０に進み、Ｎｏの場合はステップＳ３１７に進む。
【００６５】
ステップＳ３０９において、処理部１１は、機器（持玉カード発行機１）内に会員カードが挿入済みか否かを判定し、Ｙｅｓの場合はステップＳ３１０に進み、Ｎｏの場合はステップＳ３１７に進む。
【００６６】
ステップＳ３１０において、処理部１１は、カードシャッタ１４を閉鎖する。
【００６７】
次に、ステップＳ３１１において、処理部１１は、サーバＵＰＤＡＴＥ処理を行う。つまり、処理部１１は、カードに計数結果を対応付ける旨をデータ管理装置９に通知する。これにより、カード発行の履歴を残すことができる。
【００６８】
次に、ステップＳ３１２において、処理部１１は、サーバＵＰＤＡＴＥが正常に終了したか否かを判定し、Ｙｅｓの場合はステップＳ３１４に進み、Ｎｏの場合はステップＳ３１３に進む。
【００６９】
ステップＳ３１４において、処理部１１は、発行処理は会員カード更新処理ではないか否かを判定し、Ｙｅｓの場合はステップＳ３１５に進み、Ｎｏの場合はステップＳ３１９に進む。
【００７０】
ステップＳ３１３において、処理部１１は、発行処理は会員カード更新処理か否かを判定し、Ｙｅｓの場合はステップＳ３１７に進み、Ｎｏの場合はステップＳ３１５に進む。このように処理することで、一般カード発行時と一般カード更新時は、データ管理装置９との通信が途切れた場合でも、一般カードへの書込みを行うことができるようにする。
【００７１】
ステップＳ３１５において、処理部１１は、一般カードに対してカード書込み処理を行う。なお、オフライン（データ管理装置９と通信不可中）でカード書込み処理を行ったことは、後で、データ管理装置９との通信が回復した場合に通知すればよい。
【００７２】
次に、ステップＳ３１６において、処理部１１は、カード書込みが正常に終了したか否かを判定し、Ｙｅｓの場合はステップＳ３１６１に進み、Ｎｏの場合はステップＳ３１７に進む。
【００７３】
ステップＳ３１６１において、処理部１１は、サーバＵＰＤＡＴＥが正常に終了したか否かを判定し、Ｙｅｓの場合はステップＳ３１９に進み、Ｎｏの場合はステップＳ３１８に進む。
【００７４】
ステップＳ３１７において、処理部１１は、カード発行異常の種類に応じてカード発行異常フラグをセットする。例えば、管理部１１２は、カードに関する処理中にエラー（異常）が起きた場合であるので、エラーレシートを発行させるためのエラー信号（カードエラーフラグ）を、通信部１１３を用いてレシート発行機２１に送信する。そうすると、レシート発行機２１は、受信したエラー信号に応じた内容のエラーレシートを発行する。エラーレシートが発行された場合は、エラーレシートの内容を参照し、操作者（店員等）により、例えば、エラー箇所の復旧やカードを取り除く等の適切な作業を行う。
【００７５】
ステップＳ３１８において、処理部１１は、カード発行オフラインフラグをセットし、ステップＳ３２０に進む。ステップＳ３１９において、処理部１１は、カード発行正常フラグをセットし、ステップＳ３２０に進む。そして、処理部１１は、そのカード発行正常フラグを外部機器２に送信する。
【００７６】
次に、ステップＳ３２０において、処理部１１は、外部機器２に持玉カード発行終了を通知する。次に、ステップＳ３２１において、処理部１１は、カードシャッタ１４を開放する。次に、ステップＳ３２２において、処理部１１は、外部機器２からカード排出命令（指示）を受信したか否かを判定し、Ｙｅｓの場合はステップＳ３２３に進み、Ｎｏの場合はステップＳ３２４に進む。ステップＳ３２３において、処理部１１は、カード排出処理（図５のステップＳ１１５）を行う。ステップＳ３２３の後、ステップＳ３２４に進む。
【００７７】
ステップＳ３２４において、処理部１１は、機器（持玉カード発行機１）内にカードがあるか否かを判定し、Ｙｅｓの場合はステップＳ３２２に戻り、Ｎｏの場合は処理を終了する。なお、ステップＳ３２４のＹｅｓの場合とは、機器内にカードがまだ存在する場合であって、この場合、機器内からカードが排出されるまでステップＳ３２２からのステップを繰り返し、機器内からカードがなくなった場合に処理を終了する。
【００７８】
図７に戻って、ステップＳ２０２において、処理部１１は、外部機器２から持玉合算命令を受信したか否かを判定し、Ｙｅｓの場合はステップＳ２０３に進み、Ｎｏの場合はステップＳ２０７に進む。
【００７９】
ステップＳ２０３において、処理部１１は、機器（持玉カード発行機１）内にカードがないか（挿入されていないか）否かを判定し、Ｙｅｓの場合はステップＳ２０５に進み、Ｎｏの場合はステップＳ２０４に進む。ステップＳ２０４において、処理部１１は、カード排出処理（図５のステップＳ１１５）を行う。
【００８０】
ステップＳ２０７において、処理部１１は、機器（持玉カード発行機１）内にカードがないか（挿入されていないか）否かを判定し、Ｙｅｓの場合はステップＳ２１２に進み、Ｎｏの場合はステップＳ２０８に進む。
【００８１】
ステップＳ２１２において、処理部１１は、カード挿入命令（許可通知）を受信したか否かを判定し、Ｙｅｓの場合はステップＳ２１３に進み、Ｎｏの場合は処理を終了する。
【００８２】
ステップＳ２１３において、処理部１１は、カード挿入口（挿入部１３）にカードがあるか否かを判定し、Ｙｅｓの場合はステップＳ２１４に進み、Ｎｏの場合は処理を終了する。ステップＳ２１４において、処理部１１は、カード挿入処理（カード取込処理）を行い、処理を終了する。
【００８３】
ステップＳ２０８において、処理部１１は、サーバオフライン（データ管理装置９と通信不可状態）か否かを判定し、Ｙｅｓの場合はステップＳ２１１に進み、Ｎｏの場合はステップＳ２０９に進む。
【００８４】
ステップＳ２０９において、処理部１１は、閉店中か否かを判定し、Ｙｅｓの場合はステップＳ２１１に進み、Ｎｏの場合はステップＳ２１０に進む。
【００８５】
ステップＳ２１０において、処理部１１は、カード排出命令（指示）を受信していないか否かを判定し、Ｙｅｓの場合は処理を終了し、Ｎｏの場合はステップＳ２１１に進む。
【００８６】
ステップＳ２１１において、処理部１１は、カード排出処理（図５のステップＳ１１５）を行う。
【００８７】
ステップＳ２０５において、処理部１１は、カード合算処理を行う。図９は、図７におけるカード合算処理（ステップＳ２０５）を示すフローチャートである。ステップＳ４０１において、処理部１１は、外部機器２から合算中止命令を受信していないか否かを判定し、Ｙｅｓの場合はステップＳ４０２に進み、Ｎｏの場合はカード合算処理を中止する。ステップＳ４０２において、処理部１１は、カード挿入口（挿入部１３）にカードがあるか否かを判定し、Ｙｅｓの場合はステップＳ４０３に進み、Ｎｏの場合はステップＳ４０１に戻る。
【００８８】
ステップＳ４０３において、処理部１１は、合算元カード（合算するカードの１つ）挿入処理を行う。次に、ステップＳ４０４において、処理部１１は、挿入部１３に挿入されたカードが一般カードか否かを判定し、Ｙｅｓの場合はステップＳ４０５に進み、Ｎｏの場合はステップＳ４１４に進む。なお、ここでは、合算する複数のカードのうち、最後に挿入するカードに合算値を書き込む又は更新するようにするため、会員カードは、最後のカード（合算先カード）のみ使用可能である。
【００８９】
ステップＳ４０５において、処理部１１は、カード残金は０円か否かを判定し、Ｙｅｓの場合はステップＳ４０５１に進み、Ｎｏの場合はステップＳ４１４に進む。なお、カード残金が０円でないカードについては持玉を合算しない。ステップＳ４０５１において、処理部１１は、カードシャッタ１４を閉鎖する。
【００９０】
次に、ステップＳ４０６において、処理部１１は、持玉合算処理を行う。つまり、まず、ステップＳ４０７において、データ管理装置９に対して、カード更新処理（持玉０更新）を行う。また、ステップＳ４０８において、処理部１１は、カード書込み処理（持玉０書込）を行う。
【００９１】
次に、ステップＳ４０９において、処理部１１は、カード回収処理を行う。つまり、カードを持玉カード発行機１の内部（例えば専用の回収部）に回収する。
【００９２】
次に、ステップＳ４１０において、処理部１１は、外部機器２に対し、持玉合算完了を通知する。次に、ステップＳ４１０１において、処理部１１は、カードシャッタ１４を開放する。
【００９３】
次に、ステップＳ４１１において、処理部１１は、カード挿入口（挿入部１３）に２枚目以降のカード（１枚目の合算元カード以外の合算するカード）があるか否かを判定し、Ｙｅｓの場合はステップＳ４１２に進み、Ｎｏの場合はステップＳ４１１に戻る。
【００９４】
ステップＳ４１２において、処理部１１は、外部機器２からカード合算開始命令を受信したか否かを判定し、Ｙｅｓの場合はステップＳ４１３に進み、Ｎｏの場合はステップＳ４０３に戻り、残りの手持ちの一般カードを合算元カードとして処理する。
【００９５】
ステップＳ４１２においてＹｅｓの場合は、外部機器２から合算指示を受信したことにより、現在カード挿入口（挿入部１３）にあるカードが合算先カードとなるので、ステップＳ４１３において、処理部１１は、合算先カード（合算するカードの１つ）挿入処理を行う。これ以降、処理の詳細な説明を省略するが、複数のカードの持玉について、合算した持玉の数を最後に挿入したカードに書き込む又は更新することで、持玉の数の合算を行うことができる。ステップＳ４１３の後、図８のステップＳ３１０に進む。
【００９６】
ステップＳ４０４及びステップＳ４０５においてＮｏの場合、ステップＳ４１４では、処理部１１は、挿入されたカードの排出処理を実行し、次いでステップＳ４１５において、処理部１１は、ＬＥＤ１７でのエラー表示を実行する。
【００９７】
その後、ステップＳ４１６では、処理部１１は、カード挿入口（挿入部１３）に挿入されたカードが２枚目以降のものであるか否かを判断し、Ｙｅｓの場合はステップＳ４１１に進み、Ｎｏの場合は、ステップＳ４０１に戻る。
【００９８】
本実施形態の作用効果の説明の前に、比較として、あらためて従来技術について説明する。従来技術では、例えば、遊技者が島端計数装置で遊技媒体を計数した場合、島端計数装置に会員カードを挿入したときは貯玉として記録され、また、会員カードを持っていないときは島端計数装置に接続されているレシート発行機によってレシートが発行されていた。そうすると、レシートが発行された場合は再遊技に使用できない。また、会員カードに貯玉として記録された場合、貯玉に使用数制限が設定されていると、遊技者はその使用数制限の範囲内でしか再遊技できない。
【００９９】
一方、本実施形態の持玉カード発行機１によれば、遊技者が遊技機で獲得した遊技媒体の計数結果を当日中の再遊技に無制限で使用可能に管理することができる。具体的には、計数結果を用いて、一般カードを新たに発行する場合でも、一般カードや会員カードを更新する場合でも、持玉として対応付けることができる。したがって、遊技者は、貯玉の場合のように使用数制限に拘束されることなく、持玉を使って自由に再遊技を行うことができる。つまり、上述の従来技術の欠点を解消している。
【０１００】
また、複数のカードの持玉の数を合算して１つのカードにまとめることができるので、遊技者にとって便利である。なお、合算するカードの組み合わせは、複数の一般カードであってもよいし、あるいは、１枚の会員カードと１枚以上の一般カードであってもよい。
【０１０１】
また、持玉カード発行機１は、レシート発行機２１と協調動作するので、すでにレシート発行機２１が設置されている遊技店に容易に導入できる。
【０１０２】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【０１０３】
例えば、上述の実施形態では、外部機器２の例として、レシート発行機２１とメダル計数機２２を組み合わせて用いたが、これに限定されず、レシート発行機能内蔵型の計数機であってもよい。
【０１０４】
また、上述の実施形態では、持玉カード発行機１は、遊技媒体の計数結果を、当日中の再遊技に無制限で使用可能な持玉として会員カードや一般カードに対応付けて管理するものとしたが、これに限定されない。持玉カード発行機１は、設定によって、遊技媒体の計数結果を、当日中の再遊技時に使用数制限がある持玉として会員カードや一般カードに対応付けて管理することができるようにしてもよい。
【符号の説明】
【０１０５】
１…持玉カード発行機、２…外部機器、３…ＰＯＳ用ＩＣカードリーダライタ、４…ＰＯＳ装置、５…ＩＣカード精算販売機、６…島コントローラ、７…メダル貸機、８…ＣＲユニット、９…データ管理装置、１１…処理部、１２…記憶部、１３…挿入部、１４…カードシャッタ、１５…カード収納部、１６…リーダライタ、１７…ＬＥＤ、２１…レシート発行機、２２…メダル計数機、１１１…取得部、１１２…管理部、１１３…通信部、Ｈ…ハブ、Ｎ…ネットワーク、Ｓ…遊技場管理システム。
【図１】
2020137539.tif 000003
【図２】
2020137539.tif 000004
【図３】
2020137539.tif 000005
【図４】
2020137539.tif 000006
【図５】
2020137539.tif 000007
【図６】
2020137539.tif 000008
【図７】
2020137539.tif 000009
【図８】
2020137539.tif 000010
【図９】
2020137539.tif 000011